(57)【特許請求の範囲】
【請求項１】
自動検針メータから無線送信された検針データを無線基地局を搭載した検針データ収集車両を介して取り込むとともに、当該検針データ収集車両の位置情報を取り込み、該検針データと位置情報とを処理してライフライン網を構成する各管路の破断の有無を判定する管路破断検知システムにおける管理センタ装置であって、
前記自動検針メータから無線送信され、前記検針データ収集車両を介して取り込まれた検針データ及び当該検針データ収集車両の位置情報と、管路の破断を判定するのに必要な情報とに基づいて作成された調査計画表が格納された管路データサーバと、
検針データ処理時には、前記調査計画表の内容に基づいて該当する管路の破断の有無を判定する判定手段と、
を備えたことを特徴とする管路破断検知システムにおける管理センタ装置。
【請求項２】
請求項１に記載の管路破断検知システムにおける管理センタ装置において、
前記検針データ収集車両で使用される無線、前記管理センタ装置で使用される無線、前記自動検針メータで使用され無線は、ＰＨＳ無線通信回線であることを特徴とする管路破断検知システムにおける管理センタ装置。
【発明の詳細な説明】
【０００１】
【発明の属する技術分野】
本発明は水道、ガス、電力などの自動検針が可能なライフライン分野の自然災害が発生したとき、家屋毎に、断水、断ガス、停電などの被害状況を広域的に調査する管路破断検知システムにおける管理センタ装置に関する。
【０００２】
【従来の技術】
近年、各家屋に飲料水を供給する上水道システムでは、自動検針システムを使用して、各家屋での上水使用量を管理し、料金計算などを自動化しているところが多い。
【０００３】
この場合、一般的な自動検針システムでは、各家屋毎に設けられた自動検針メータによって、各家屋に供給される飲料水の使用量を検針し、検針結果を一般の公衆回線を介して、水道局の管理センタ側に伝送し、この管理センタ側で各家屋毎の水道料金を計算させ、これによって検針員などによる検針作業を省いて、検針コストを低減させるとともに、検針ミスなどを無くすようにしている。
【０００４】
【発明が解決しようとする課題】
しかしながら、上述した自動検針システムにおいては、基本的な機能として、自動的に検針を行って、この検針処理で得られた検針データを伝送するだけの機能しか持っていないため、断水などが発生していても、これを検知することが難しいという問題があった。
【０００５】
そこで、このような問題を解決する方法として、断水が発生したとき、これを検知する断水検知機能などを持つ自動検針メータが開発されているが、このような断水検知機能を持つ自動検針メータでは、一般家庭用の公衆回線を使用して、管理センター側に検知結果を伝送することを前提にしているので、大規模な地震などが発生して、断水が発生したときなどには、これと同時に一般家庭用の公衆回線が不通になっていることが多い。
【０００６】
このため、自動検針メータ側で断水を検知しても、これを管理センター側に伝送することができないことが多く、大規模な地震に起因する断水などに対処することが難しく、このような大規模な地震が発生して、断水などの事故が発生したときには、地震が発生した後で、人手によって現場を調査し、断水状況を調べながら、調査結果を図面上に書き込んだり、収集したデータを集計したりして、断水箇所を特定しなければならず、復旧までに長い時間がかかってしまうという問題があった。
【０００７】
このような問題に関連する先行技術としては、特開平８−１６３２６２号公報に示す「自動検針システム」、特開平９−２３４８３号公報に示す「管路破断検知システム」が提案されている。
【０００８】
特開平８−１６３２６２号公報に示す「自動検針システム」では、図１０に示すように、各需要家１０２側に設けられたガスメータ１０３のデータをＰＨＳ子機１０４を介して、ＰＨＳ親局１０５側に送信し、このＰＨＳ親局１０５側に接続されたセンタ１０６によって、各ガスメータ１０２で得られたデータを処理することにより、設備設置の手間と、コストとを低減するとともに、通信コストを低減させている。
【０００９】
また、特開平９−２３４８３号公報に示す「管路破断検知システム」では、図１１に示すように、管路網１１０を構成する各管路１１１毎に、無線通信機能および漏水推定機能を備えたインテリジェントなセンサ１１２を設置し、各センサ１１２が互いに隣接するセンサ１１２と協調して、分散的に漏水検知を行い、これによって得られた検知結果を送信するとともに、管理センタ１１３側の通信装置１１４によって、検知結果を受信し、警報を発生して、監視員１１５に断水を知らせるとともに、漏水情報に基づき、配水制御装置１１６によって、各バルブを遠隔制御することにより、管路１１１が破断したとき、これを迅速に検知して、管路１１１の破損箇所を作業員１１７に知らせ、断水箇所を早期に復旧させて、水道管網やガス管網などのライフライン網を正常な状態に維持させる。
【００１０】
しかしながら、特開平８−１６３２６２号公報に示す「自動検針システム」によって開示されている技術では、各ＰＨＳ子機１０４と、ＰＨＳ親機１０５とが持っている親子通信機能を使用して、各ＰＨＳ子機１０４によってガスメータ１０３のデータをＰＨＳ親機１０５側に伝送する機能しか持っていないことから、各ＰＨＳ子機１０４とＰＨＳ親機１０５との距離を長くすることが難しく、大規模な地震が発生したとき、広い範囲に渡って、水道管が破損しているかどうかを検知することができないという問題がある。
【００１１】
また、特開平９−２３４８３号公報に示す「管路破断検知システム」によって開示されている技術では、地震などによって管路１１１の一部から漏水が発生したとき、管路網１１０の管路１１１上に配置された複数のセンサ１１２同士が相互にデータを交換して、漏水箇所を推定し、この推定結果を管理センタ１１３側に伝送するようにしているので、各センサ１１２側に高度なインテリジェント機能を持たせなければならず、その分だけシステムのコストが高くなってしまうという問題がある。
【００１２】
本発明は上記の事情に鑑み、人手をかけず、迅速に、かつ自動的に広い範囲にわたり、管路が破断している箇所を特定でき、これによって迅速な応急処置、復旧作業を行わせることができる管路破断検知システムにおける管理センタ装置を提供することを目的としている。
【００１４】
【課題を解決するための手段】
上記の目的を達成するために本発明は、請求項１では、自動検針メータから無線送信された検針データを無線基地局を搭載した検針データ収集車両を介して取り込むとともに、当該検針データ収集車両の位置情報を取り込み、該検針データと位置情報とを処理してライフライン網を構成する各管路の破断の有無を判定する管路破断検知システムにおける管理センタ装置であって、前記自動検針メータから無線送信され、前記検針データ収集車両を介して取り込まれた検針データ及び当該検針データ収集車両の位置情報と、管路の破断を判定するのに必要な情報とに基づいて作成された調査計画表が格納された管路データサーバと、検針データ処理時には、前記調査計画表の内容に基づいて該当する管路の破断の有無を判定する判定手段とを備えたことを特徴としている。
【００１５】
また、請求項２では、請求項１に記載の管路破断検知システムにおける管理センタ装置において、前記検針データ収集車両で使用される無線、前記管理センタ装置で使用される無線、前記自動検針メータで使用され無線は、ＰＨＳ無線通信回線であることを特徴としている。
【００１６】
上記の構成において、請求項１では、無線機基地局を搭載した検針データ収集車両によって、各自動検針メータから送信される検針データを受信して、収集した後、管理センタ装置では、前記検針データ収集車両で収集された検針データと位置情報を処理して、管路が漏水しているかどうかを判定する。これにより、人手をかけず、迅速に、かつ自動的に広い範囲にわたり、管路が破断している箇所を特定できるので、迅速な応急処置、復旧作業を行わせることができる。
【００１７】
また、請求項２では、前記検針データ収集車両で使用される無線、前記管理センタ装置で使用される無線、前記自動検針メータで使用され無線として、ＰＨＳ無線通信回線を使用することにより、ＰＨＳ無線通信回線を使用して、人手をかけず、迅速に、かつ自動的に広い範囲に渡り、自動検針メータの検針データを収集して、管理センタ装置側に送信することにより、システムの構築コストを低く抑えながら、大規模な地震などによって有線の通信回線が不通になっているときにも、断水している箇所を特定して、これを分かり易い表示形式で、表示し、これによって迅速な応急処置、復旧作業を行わせる。
【００１８】
【発明の実施の形態】
《実施の形態の構成》
図１は本発明に係る管理センタ装置が適用された管路破断検知システムを示すブロック図である。
【００１９】
この図に示す管路破断検知システム１は、各家屋２側に設けられる自動検針メータ３と、車両４に搭載され、各自動検針メータ３から送信される検針データを収集する車載装置５と、管理センタ側に設けられ、車両４を運転する運転者に調査区域を知らせる処理、車両４に搭載された車載装置５から送信された各検針データを受信して、配水管６の漏水箇所を集計する処理などを行う管理センタ装置７とを備えており、大規模な地震などが発生して、配水管６が破損している恐れがあるとき、車両４を調査区域に派遣させて、この車両４に搭載されている車載装置５により、各自動検針メータ３から送信される検針データを受信させ、この調査が終了した時点で、管理センタ装置７によって、車載装置５から送信される各検針データを受信させて、これを処理させ、調査区域内にある配水管６の漏水箇所を集計させる。
【００２０】
各自動検針メータ３は、各家屋２に飲料水を供給する配水管６に取り付けられ、各家屋２で使用される飲料水の使用量、断水の有無などを測定して、検針データを生成する自動検針部と、車載装置５からＰＨＳ無線通信回線８を介して呼び出されたとき、車載装置５とポーリング方式で回線を確立して、自動検針部によって得られた検針データをＰＨＳ無線通信回線８を介し、車載装置５に送信するＰＨＳ無線部とを備えており、各家屋２で使用される飲料水の量、断水の有無などを測定しながら、車載装置５からＰＨＳ無線通信回線８を介して呼び出されたとき、車載装置５とポーリング方式で回線を確立して、現在までの飲料水の使用量、断水の有無などを示す検針データを車載装置５に送信する。
【００２１】
車載装置５は、人工衛星から送信されるＧＰＳ信号などを受信して、車両４の現在位置を示す位置情報を生成するナビゲーション機器９と、ＰＨＳ無線通信回線８を介して、各自動検針メータ３とポーリング方式で通信回線を確立して、各自動検針メータ３から検針データを収集する処理、ＰＨＳ無線通信回線８を介して、管理センタ装置７と通信回線を確立して、調査計画表を受信する処理、各検針データを送信する処理などを行う車載型ＰＨＳ基地局１０と、ナビゲーション機器９から出力される位置情報を取り込む処理、車載型ＰＨＳ基地局１０を制御して、各自動検針メータ３から送信される検針データを収集させる処理、管理センタ装置７に位置情報を送信させる処理、管理センタ装置７から送信される調査計画表を受信して、これを運転者に提示する処理、収集動作で得られた各検針データを管理センタ装置７に送信させる処理などを行う車載型自動検針親局装置１１とを備えている。
【００２２】
そして、ＰＨＳ無線通信回線８を介して、管理センタ装置７から位置情報要求指示が送信されてきたとき、これを受信して、ナビゲーション機器９から出力される位置情報を管理センタ装置７に送信し、これに対応して、管理センタ装置７から調査計画表が送信されてきたとき、これを受信して、車両４の運転者に、調査計画表を提示して、調査ポイントに移動させた後、ＰＨＳ無線通信回線８を介して、調査区域内にある各自動検針メータ３から検針データを収集する。この後、ＰＨＳ無線通信回線８を介して、収集動作によって得られた各検針データを管理センタ装置７に送信する。
【００２３】
管理センタ装置７は、イーサネットなどによって構成され、テキストデータや図形データなどの授受をサポートするＬＡＮ（ローカルエリアネットワーク）１２と、ＰＨＳ無線通信回線８を介して、各車載装置５と通信を行うセンタ側ＰＨＳ基地局１３と、このセンタ側ＰＨＳ基地局１３を制御して、各車載装置５から送信される検針データの収集、各車載装置５に対する情報の送信などを行う通信サーバ１４と、上水道システムを構成する配水管６などに関するデータが格納される管路データサーバ１５と、大規模な地震が発生したとき、管路データサーバ１５、通信サーバ１４を制御して、配水管６の破損有無、漏水や断水の発生場所などを判定する処理などを行う断水状況管理装置１６とを備えており、大規模な地震が発生して、配水管６が破損した恐れがあるとき、各車載装置５から位置情報を送信させて、各車両４の現在位置に対応する調査区域を運転者に提示して、調査区域内にある各自動検針メータ３から送信される検針データを収集させ、この調査が終了した時点で、各検針データを取り込んで、調査区域内にある各家屋２の断水状況、調査区域内にある配水管６の漏水状況などを判定する。
【００２４】
この場合、センタ側ＰＨＳ基地局１３は、通信サーバ１４から通信要求があったとき、ＰＨＳ無線通信回線８を介して、各車載装置５を順次、呼び出して、通信回線を確立した後、位置情報要求指示、調査計画表などを送信し、またＰＨＳ無線通信回線８を介して、各車載装置５のいずれかから呼び出されたとき、この車載装置５と通信回線を確立した後、各検針データを受信して、これを通信サーバ１４に供給する。
【００２５】
通信サーバ１４は、ＬＡＮ１２のノード１７に接続されたエンジニリアリングワークステーションまたはパソコンによって構成され、ＬＡＮ１２を介して断水状況管理装置１４から通信要求が供給されたとき、この通信通信要求とともに供給される位置情報要求指示、調査計画表などを一時的に蓄積しながら、センタ側ＰＨＳ基地局１３を制御して、ＰＨＳ無線通信回線８の通信負荷を平均化させる速度、タイミングで、車載装置５に位置情報要求指示、調査計画表などを送信し、またセンタ側ＰＨＳ基地局１３によって各車載装置５から送信される位置情報、検針データが受信されたとき、これを取り込んで一時的に蓄積しながら、ＬＡＮ１２の通信負荷を平均化させる速度、タイミングで、位置情報、各検針データをＬＡＮ１２上に送出して、断水状況管理装置１４に供給する。
【００２６】
また、管路データサーバ１５は、ＬＡＮ１２のノード１８に接続されたエンジニリアリングワークステーションまたはパソコンによって構成され、図２に示すように、その内部に、道路図形が登録される道路図形レイヤ２０と、各家屋２の図形が登録される給水家屋図形レイヤ２１と、各行政毎の地形情報が登録される行政界図形レイヤ２２と、配水区域図形が登録される配水区域図形レイヤ２３と、配水管６の断水調査を行う際に使用される調査区画図形レイヤ２４と、車載型ＰＨＳ基地局１０のデータ収集ポイントと通話可能な自動検針メータ３との相関関係が登録される通話エリア図形レイヤ２５と、配水管６の配管図形が登録されている水道配管図形レイヤ２６と、これら道路図形レイヤ２０〜水道配管図形レイヤ２６に登録されている属性情報を図形要素単位で管理するリレーショナルデータベース２７とが格納されている。
【００２７】
そして、リレーショナルデータベース２７によって、水道配管図形レイヤ２６に登録されている各配水管６の管路番号と、各配水管６によって飲料水が供給される各家屋２の水栓番号とをキー情報にして、水道配管図形レイヤ２６と、給水家屋図形レイヤ２１とをリンクさせるなどの方法で、道路図形レイヤ２０〜水道配管図形レイヤ２６に登録されている属性情報を図形要素単位で管理しながら、ＬＡＮ１２を介して、断水状況管理装置１６から読出し指令が供給されたたとき、リレーショナルデータベース２７に格納された属性情報を参照しながら、道路図形レイヤ２０、給水家屋図形レイヤ２１、行政界図形レイヤ２２、配水区域図形レイヤ２３、調査区画図形レイヤ２４、通話エリア図形レイヤ２５、水道配管図形レイヤ２６をアクセスして、読出し指令で指定された情報を読出すとともに、この読出し動作で得られた情報をＬＡＮ１２上に送出して、断水状況管理装置１６に供給する。
【００２８】
また、断水状況管理装置１６は、ＬＡＮ１２のノード１９に接続されたエンジニリアリングワークステーションまたはパソコンによって構成され、大規模な地震が発生して、上水道システムを構成する配水管６などが破損したと思われるとき、管路データサーバ１５から必要な情報を読出し、図３に示すように、各車載装置５毎に、断水調査を行うのに必要な調査計画表２９を作成するとともに、通信サーバ１４を制御して、各車載装置５に各自動検針メータ３の検針データを収集させ、これによって得られた各検針データを処理して、管理対象区域内にある各家屋２が断水しているかどうか、各配水管６などが漏水しているかどうかを判定し、この判定結果を一覧表示する。
【００２９】
《実施の形態の動作》
次に、図４〜図９に示す各フローチャートを参照しながら、この管路破断検知システム１の動作を詳細に説明する。
【００３０】
＜検針データの収集動作＞
まず、図４のフローチャートに示すように、大規模な地震が発生すれば（ステップＳＴ１）、断水状況管理装置１６によって管路データサーバ１５がアクセスされて、調査区域図形レイヤ２４の内容が読み出されるとともに（ステップＳＴ２）、通信サーバ１４が制御されて、センタ側ＰＨＳ基地局１３から位置情報要求指示を送信させる（ステップＳＴ３）。
【００３１】
そして、図５のフローチャートに示すように、各車両４に搭載されている各車載装置５の車載型ＰＨＳ基地局１０によって、位置情報要求指令が受信されると（ステップＳＴ１０〜ＳＴ１２）、車載型自動検針親局装置１１によって、ナビゲーション機器９から出力される位置情報が取り込まれ（ステップＳＴ１３）、これが車載型ＰＨＳ基地局１０に供給されて、ＰＨＳ無線通信回線８を介し、管理センタ装置７のセンタ側ＰＨＳ基地局１３側に送信され（ステップＳＴ１４、ＳＴ１５）、図４のフローチャートに示すように、通信サーバ１４に蓄積される（ステップＳＴ４、ＳＴ５）。
【００３２】
この後、断水状況管理装置１６によって、通信サーバ１４に蓄積されている各位置情報が取り込まれて、各位置情報に基づき、各車両４の位置が判定されて、調査区域図形上に、各車両４の位置を示すシンボルと、各車両４の車両番号とが重ねられて、これが表示装置２８上に表示され、オペレータに提示される（ステップＳＴ６）。
【００３３】
次いで、図６のフローチャートに示すように、断水状況管理装置１６によって、管路データサーバ１５がアクセスされて、通話エリア図形レイヤ２５、給水家屋図形レイヤ２１からＰＨＳ通話エリア図形、給水家屋図形が読み出されるとともに（ステップＳＴ２０、ＳＴ２１）、各車両４の現在位置と、ＰＨＳ通話エリア図形とが比較されて、各車両４毎に通話可能な自動検針メータ３が求められた後（ステップＳＴ２２）、各自動検針メータ３の番号、各自動検針メータ３が設けられている家屋２の番号とが各車両４毎にグループ化されて、調査計画表２９が作成され（ステップＳＴ２３）、各調査計画表２９毎に、調査番号が付されて、管路データサーバ１５に登録される（ステップＳＴ２４）。
【００３４】
この後、断水状況管理装置１６によって、管路データサーバ１５がアクセスされて、各車両４毎の調査計画表２９が読み出されて、これが通信サーバ１４に転送されるとともに、通信サーバ１４が制御されて、センタ側ＰＨＳ基地局１３から、各車載装置５にポーリング要求が出されて、調査計画表２９が送信される（ステップＳＴ２５）。
【００３５】
そして、図７のフローチャートに示すように、この調査計画表２９を受信した車載装置５の車載型自動検針親局装置１１によって（ステップＳＴ３０〜ＳＴ３２）、車両４に運転者に、調査計画表２９が提示されて（ステップＳＴ３３）、調査区域内の調査ポイントに移動させた後、ＰＨＳ無線通信回線８を介して、ポーリング形式で、調査区域内にある各自動検針メータ３と、順次、通信回線が確立されて、各自動検針メータ３から送信される検針データが受信され、記憶装置内に蓄積される（ステップＳＴ３４、ＳＴ３５）。
【００３６】
この後、調査区域内にある全ての自動検針メータ３から検針データの収集が終了した時点で（ステップＳＴ３５）、車載型自動検針親局装置１１によって、記憶装置内に蓄積されてる各検針データ、調査計画表２９の番号が車載型ＰＨＳ基地局１０に転送されて、ＰＨＳ無線通信回線８を介し、管理センタ装置７のセンタ側ＰＨＳ基地局１３に送信され（ステップＳＴ３６、ＳＴ３７）、図８、図９のフローチャートに示すように、通信サーバ１４に蓄積される（ステップＳＴ４０〜ＳＴ４２）。
【００３７】
＜検針データの処理動作＞
次いで、断水状況管理装置１６によって、通信サーバ１４に蓄積されている各車載装置５で収集された各検針データ、調査計画表２９の番号が読み出されて、これが管路データサーバ１５内に格納されている各調査計画表２９のうち、調査計画表２９の番号に対応する調査計画表２９が選択されて、この調査計画表２９内に登録される（ステップＳＴ４３）。
【００３８】
この後、全ての車載装置５によって収集された各検針データの読み出し処理が終了して、管理データサーバ１５内に格納されている各調査計画表２９内に全ての自動検針メータ３からの検針データの登録が完了すると（ステップＳＴ４４）、断水状況管理装置１６によって、管路データサーバ１５内に格納されている各調査計画表２９の内容に基づき、断水している配水管６が判定されるとともに、この判定結果に基づき、リレーショナルデータベース２７内に登録されている各属性情報が読み出される。
【００３９】
そして、各属性情報に基づき、断水状況管理装置１６によって、管路データサーバ１５がアクセスされて、給水家屋図形レイヤ２１、水道配管図形レイヤ２６から家屋図形、配水管図形が読み出されるとともに（ステップＳＴ４５、ＳＴ４６）、これらが重ね合わされて、断水表示画面が作成され、表示装置２８上にカラー表示形式で、断水表示画面が表示されて、オペレータに提示される（ステップＳＴ４７）。
【００４０】
次いで、断水状況管理装置１６によって、各属性情報に基づき、管路データベース１５がアクセスされて、行政界図形レイヤ２２から行政界図形が読み出され（ステップＳＴ４８）、これが断水表示画面に重ね合わされた後（ステップＳＴ４９）、ポリゴン演算が行われて、行政界内の断水している配水管６と、家屋２とが集計されるとともに、属性情報が検索されて、行政界別の断水集計情報が作成される（ステップＳＴ５０）。
【００４１】
同様に、断水状況管理装置１６によって、各属性情報に基づき、管路データベース１５がアクセスされて、配水区域図形レイヤ２３から配水区域図形が読み出され（ステップＳＴ５１）、これが断水表示画面に重ね合わされた後（ステップＳＴ５２）、ポリゴン演算が行われて、配水区域内の断水している配水管６と、家屋２とが集計されるとともに、属性情報が検索されて、配水区域別の断水集計情報が作成される（ステップＳＴ５３）。
【００４２】
《実施の形態の効果》
このようにこの実施の形態においては、大規模な地震などが発生して、配水管６が破損している恐れがあるとき、車両４を調査区域に派遣させて、この車両４に搭載されている車載装置５により、各自動検針メータ３から送信される検針データを受信させ、この調査が終了した時点で、管理センタ装置７によって、車載装置５から送信される各検針データを受信させて、これを処理させ、調査区域内にある配水管６の漏水箇所を集計するようにしているので、人手をかけず、迅速に、かつ自動的に広い範囲に渡り、断水している箇所を特定して、これを分かり易い表示形式で、表示することができ、これによって迅速な応急処置、復旧作業を行わせることができる（請求項１の効果）。
【００４３】
また、この実施の形態では、ＰＨＳ無線通信回線８を使用して、各自動検針メータ３と、車載装置５と、管理センタ装置７とを接続するようにしているので、システムの構築コストを低く抑えながら、人手をかけず、迅速に、かつ自動的に広い範囲に渡り、自動検針メータ３の検針データを収集して、管理センタ装置４側に送信することができ、これによって大規模な地震などによって有線の通信回線が不通になっているときにも、断水している箇所を特定して、これを分かり易い表示形式で、表示し、迅速な応急処置、復旧作業を行わせることができる（請求項２の効果）。
【００４４】
【発明の効果】
以上説明したように本発明によれば、請求項１では、人手をかけず、迅速に、かつ自動的に広い範囲にわたり、管路が破断している箇所を特定でき、これによって迅速な応急処置、復旧作業を行わせることができる。
【００４５】
また、請求項２では、ＰＨＳ無線通信回線を使用して、人手をかけず、迅速に、かつ自動的に広い範囲に渡り、自動検針メータの検針データを収集して、管理センタ装置側で受信することにより、システムの構築コストを低く抑えながら、大規模な地震などによって有線の通信回線が不通になっているときにも、管路が破断している箇所を特定でき、これによって迅速な応急処置、復旧作業を行わせることができる。
【図面の簡単な説明】
【図１】  本発明に係る管理センタ装置が適用された管路破断検知システムを示すブロック図である。
【図２】図１に示す管路データサーバに格納される各レイヤ例を示す模式図である。
【図３】図１に示す管路破断検知システムで作成される調査計画表の一例を示す模式図である。
【図４】図１に示す管理センタ装置の位置情報要求指示動作例を示すフローチャートである。
【図５】図１に示す車載装置の位置情報送信動作例を示すフローチャートである。
【図６】図１に示す管理センタ装置の検針データ収集指示動作例を示すフローチャートである。
【図７】図１に示す車載装置の検針データ収集動作例を示すフローチャートである。
【図８】図１に示す管理センタ装置の検針データ処理例を示すフローチャートである。
【図９】図１に示す管理センタ装置の検針データ処理例を示すフローチャートである。
【図１０】特開平８−１６３２６２号公報に示す「自動検針システム」の概要を示すブロック図である。
【図１１】特開平９−２３４８３号公報に示す「管路破断検知システム」の概要を示すブロック図である。
【符号の説明】
１…管路破断検知システム
２…家屋
３…自動検針メータ
４…車両（検針データ収集車両）
５…車載装置
６…配水管
７…管理センタ装置
８…ＰＨＳ無線通信回線
９…ナビゲーション機器
１０…車載型ＰＨＳ基地局
１１…車載型自動検針親局装置
１２…ＬＡＮ
１３…センタ側ＰＨＳ基地局
１４…通信サーバ
１５…管路データサーバ
１６…断水状況管理装置
１７、１８、１９…ノード
２０…道路図形レイヤ
２１…給水家屋図形レイヤ
２２…行政界図形レイヤ
２３…配水区域図形レイヤ
２４…調査区画図形レイヤ
２５…通話エリア図形レイヤ
２６…水道配管図形レイヤ
２７…リレーショナルデータベース
２８…表示装置
２９…調査計画表
【図１】
0003640778.tif 000002
【図２】
0003640778.tif 000003
【図３】
0003640778.tif 000004
【図４】
0003640778.tif 000005
【図５】
0003640778.tif 000006
【図６】
0003640778.tif 000007
【図７】
0003640778.tif 000008
【図８】
0003640778.tif 000009
【図９】
0003640778.tif 000010
【図１０】
0003640778.tif 000011
【図１１】
0003640778.tif 000012